(57)【特許請求の範囲】
【請求項１】
被係止部材（２００）を係止する係止部（１１４）と、
前記被係止部材の取付時に前記被係止部材の一部が摺接する摺接面（１１３）と、
前記被係止部材の取付時に自身が撓む撓み部（１１１）とを備えた被係止部材を所定位置に係止する係止用フック（１１０）において、
前記被係止部材の取付時に、前記被係止部材が前記摺接面に最初に当接する第一の接点からの変位量をδとし、前記撓み部の長さをｌとした場合に、前記摺接面の傾斜角が（３／２ｌ）δ以上になるように傾斜していることを特徴とする係止用フック。
【発明の詳細な説明】
【０００１】
【産業上の利用分野】
本発明は、電気機器等における、プリント基板やケース蓋部等の被係止部材を機器本体内の所定位置に固定するための係止用フックに関するものである。
【０００２】
【従来の技術】
電気機器においては、集積回路や電気素子が実装されているプリント基板等を機器本体内の所定位置に取付けて固定する必要が有る。その固定構造としては、例えば、プリント基板に固定用のビスが貫通する貫通孔を設け機器本体に植設されたボス上にビス止めをして固定する構造や、固定用に開発された特殊金具などを利用する構造があげられる。また、固定方法の簡易性、および部品コストの有利性から、樹脂で成形された係止用フックにてプリント基板等を固定することも広く利用されている。
【０００３】
図４ないし図６は、この樹脂材料で成形された従来からの係止用フックを示している。図４（ａ）は、図示しない金属シャーシ等に、樹脂材料により、例えばアウトサート成形方法により成形された係止ブロック３００の斜視図である。同図（ｂ）は、その係止ブロック３００に、プリント基板等の被係止部材４００が取付けられ、固定されている状態の斜視図である。
【０００４】
また、図５（ａ）ないし（ｃ）は、図４（ａ）におけるＡ−Ａ断面図を用いて、被係止部材４００が係止ブロック３００に取付け固定されるまでの過程を示している。そして、図６は、係止ブロック３００に固定されていた被係止部材４００に対して、係止用ブロック３００から離脱せしめる方向の力が加えられた状態を示している。
【０００５】
これら図４ないし図６を参照して、従来の係止用フックの構成を詳述する。
係止ブロック３００は、被係止部材４００が載置される受部３２０と、この受部３２０上に被係止部材４００を固定する係止用フック体３１０とが、樹脂材料により一体に成形されている。なお、図示されている受部３２０は一平面状に形成されているが、この平面上に位置決め用突起を同じく樹脂材料により一体成形して、被係止部材４００には位置決め用突起に係合する孔を設け、被係止部材４００の取付け固定の際に、被係止部材４００の位置決めを行うことも行われている。
【０００６】
係止用フック体３１０は、上方に向けて略直線的に延在するストレート部３１１と、その先端部に設けられたフック部３１２から構成されている。そして、このフック部３１２には、被係止部材が係止される側において、下方に向けて所定角度を持って、ストレート部３１１から離間する方向に傾斜する直線的な摺接面３１３と、受部３２０上に載置された被係止部材４００の上面に係合して、被係止部材４００を受部３２０上に固定する係止部３１４が形成されている。この係止部３１４は受部３２０の上面と略平行な面（ストレート部３１１の延在方向に対して略直交する面）に成形されている。
【０００７】
このように構成された係止ブロック３００に対して、プリント基板等の被係止部材４００が組立者によって押し込まれて、受部３２０上に固定されるまでの過程について、図５（ａ）ないし（ｃ）を参照して詳述する。
【０００８】
図５（ａ）は、組立者が被係止部材４００を係止ブロックに対して被係止部材４００を固定すべく、被係止部材４００の一側辺の一部分をフック部３１２における摺接面３１３の所定位置（Ｐ１）に当接させた時の状態を示している。この状態において、組立者が被係止部材４００を受部３２０に向けて下方に押し込もうとした際には、この押し込み方向に対する摺接面３１３の傾斜角によって定まる圧力角（α１）にて、被係止部材４００が押し込まれることとなる。
【０００９】
そして、さらに組立者が被係止部材４００を、その一側辺の一部分を摺接面３１３に摺接させながら受部３２０方向である下方に押し込んで、図５（ｂ）に示す如く摺接面３１３における下方位置（Ｐ２）まで移動させた場合には、その押し込み力の作用により、係止用フック体３１０のストレート部３１１が受部３２０から離間する方向（図において右方向）に撓むこととなる。この際、ストレート部３１１が撓んだことにより、撓み角が発生して摺接面３１３の押し込み方向に対する傾斜角が変化し、もって同図に示す如く、位置（Ｐ２）における圧力角（α２）は位置（Ｐ１）における圧力角（α１）よりも大きくなる。
【００１０】
この圧力角の変化について、図７を参照して詳述する。
図７において、長さがｌで同一断面を持つ部材Ａが、その一端ａ１が固定されて片持梁状とされている状態において、自由端ａ２に力ｐを加えることにより、自由端ａ２を距離δだけ移動させた場合を想定すると、次式に示す関係が成立する（Ｅ：縦弾性係数、Ｉ：断面二次モーメント）。
δ＝ｐｌ3／３ＥＩ
θ＝ｐｌ2／２ＥＩ
上記の関係式から、部材Ａの撓み角θ変化量は、次式の、
θ＝（３／２ｌ）δ
として表すことができる。
【００１１】
従って、上述の関係を勘案すると、図５（ａ）ならびに図５（ｂ）に示す如く、被係止部材４００の押し込み移動により、被係止部材４００と摺接面３１３との摺接位置が変化することに応じて、ストレート部３１１は徐々に撓み量δを増加させる。この撓み量δの増加により、撓み角も増加する。そして、撓み角の増加に伴い、圧力角も増加することとなる。この変化は、位置（Ｐ１）における始めの圧力角を（α１）とすると、撓み量δである位置（Ｐ２）における圧力角（α２）は、
（α２）＝（α１）＋（３／２ｌ）δ
として表すことができる。
【００１２】
以上の押し込みの過程を経て、組立者が被係止部材４００を受部３２０上に載置する位置まで押し込んだ際には、係止用フック体３１０のストレート部３１１の復元力によって、ストレート部３１１の撓みが解消され、フック部３１２が元の位置に向けて移動する。このとき、係止用フック体３１０の係止部３１４が、受部３２０上に載置された被係止部材４００の上面に係合する。これにより、被係止部材４００の上方向の移動を規制し、もって被係止部材４００を受部３２０上に係止固定することが可能となる。
【００１３】
一方、図６に示すように、係止ブロック３００に係止固定されていた被係止部材４００に対して、係止ブロック３００から離脱する方向の力が加えられたときには、係止用フック体３１０のストレート部３１１は受部３２０から離間する方向に撓み、この結果、フック部３１２が広がることとなる。
【００１４】
係止ブロック３００にて固定されていた被係止部材４００に対して、係止ブロック３００から離脱する方向の力が加えられたときに、フック部３１２が広がり、被係止部材４００が簡単にはずれてしまうという問題が生じる。
【００１５】
【発明が解決しようとする課題】
上述のような係止用フック３１０においては、組立者が被係止部材４００を受部３２０方向である下方に向けて押し込むにしたがい、その圧力角は徐々に増すこととなり、これに伴い、被係止部材４００を押し込むための押圧力も徐々に増す必要が有り、組立に際しては組立者に熟練を要するという問題が生じていた。
【００１６】
【課題を解決するための手段】
本発明は上記した問題点を解決した係止用フックを提供することを目的としたものであり、請求項１に記載の発明は、被係止部材を所定位置に係止する係止用フックであって、
被係止部材（２００）を係止する係止部（１１４）と、被係止部材の取付時に被係止部材の一部が摺接する摺接面（１１３）と、被係止部材の取付時に自身が撓む撓み部（１１１）とを備えており、この摺接面は被係止部材の取付方向に向けて、その傾斜角が、被係止部材の取付時に、被係止部材が摺接面に最初に当接する第一の接点からの変位量をδとし、撓み部の長さをｌとした場合に、摺接面の傾斜角が（３／２ｌ）δ以上になるように傾斜していることを特徴とするものである。
【００１８】
【作用】
本発明の請求項１に記載の係止用フックによれば、被係止部材を取付ける際において、圧力角を略一に保つ、又は徐々に小さくすることができ、もって、組立者の組立作業を簡易にすることが可能となる。
【００２０】
【発明の実施の形態】
本発明に好適な実施の形態について、図１及び図２に基づいて説明する。
図１（ａ）は、図示しない金属シャーシ等に樹脂材料により、例えばアウトサート成形された係止ブロック１００の斜視図である。また、同図（ｂ）は、その係止ブロック１００に、プリント基板等の被係止部材２００を固定した際の斜視図である。
【００２１】
係止ブロック１００は、プリント基板等の被係止部材２００が載置される受部１２０と、この受部１２０上に被係止部材２００を固定する係止用フック体１１０とが樹脂材料で一体に成形されている。なお、図示されている受部１２０は一平面状に形成されているが、この平面上に位置決め用突起を同じく樹脂材料により一体成形して、被係止部材２００には位置決め用突起に係合する孔を設け、被係止部材２００の取付け固定の際に、被係止部材２００の位置決めを行うようになしても良い。
【００２２】
係止用フック体１１０は、略直線的に上方に向けて延在するストレート部１１１と、その先端部に設けられたフック部１１２から構成されている。そして、このフック部１１２には、被係止部材２００が係止される側において、下方に向けて所定角度を持って、ストレート部３１１から離間する方向に傾斜する略曲線的な摺接面１１３と、受部３２０上に載置された被係止部材２００の上面に係合して、被係止部材２００を受部１２０上に固定する係止部１１４が形成されている。また、この係止部１１４は受部１２０の上面に対して予め所定の角度にて傾斜されている。
【００２３】
そして、このように構成された係止ブロック１００に対して、被係止部材２００が、図５（ａ）ないし（ｃ）に示した、従来の係止ブロックと略同様に、被係止部材２００の一側辺の一部分を摺接面３１３に摺接させながら、受部１２０方向である下方に押し込む過程を経て、受部１２０上に取付け固定される。
しかしながら、上述から明らかな通り、本発明の実施の形態に示された係止用フックにおいては、従来の係止用フック３１０と比べ、摺接面１１３と係止部１１４に改良が加えられたものである。この改良内容について以下に詳述する。
【００２４】
図２には、図１（ａ）のＡ−Ａ断面におけるフック部１１２の拡大図を示す。
同図に示されている通り、摺接面１１３は略曲線的な傾斜面となっている。この傾斜は、被係止部材２００が係止ブロック１００に対して押し込まれる際に最初に当接する点をＰ３（図５（ａ）のＰ１に相当）とすると、そのＰ３からの変位位置δに応じて、（３／２ｌ）δだけ徐々に急になるように定められ、先端面１１３ａは垂直面とされている。
すなわち、ストレート部１１１が撓むことで発生する撓み角の増加に応じて、傾斜を急になるようにすることで、ストレート部１１１が撓んだ場合であっても、圧力角が撓み角の影響を受けることがないようになされている。また、先端面１１３ａは垂直面のため、この部分での圧力角は撓み角と等しくなる。
【００２５】
これにより、被係止部材２００の押し込み過程において、撓み部としてのストレート部１１１が撓んだとしても、圧力角は常に一定に保たれることとなり、更に先端面１１３ａでの圧力角を撓み角と等しくなるまで抑えることができる。その結果、組立者は大きな押圧力を被係止部材２００に加えることなく、被係止部材２００を容易に係止ブロック１００に取付け固定することが可能となる。
【００２６】
また、係止部１１４は受部１２０の上面に対して、すなわち、被係止部材２００の上面に対して、予め（３／２ｌ）δの角度にて傾斜されている。したがって、係止ブロック１００にて固定されていた被係止部材２００に対して、係止ブロック２００から離脱する方向の力が加えられたときに、ストレート部１１１が撓んだとしても、係止部１１４が傾斜していることにより、フック部１１２が広がることがなく（被係止部材２００の上平に、その面と略平行な面で係止部１１４が当接している）、被係止部材２００が簡単にはずれてしまうことがなくなる。
【００２７】
上述の摺接面１１３は、被係止部材２００取付け固定時における圧力角が略一定になるように成されているが、組立作業の簡易性等を考慮して、図８に示すように、ストレート部１１１の撓み量に応じて圧力角を徐々に小さくするようになし、先端を垂直な面とすることにより最終的に圧力角を撓み角と等しくなるようにしても良い。なお、同図には従来技術の係止用フックの圧力角の変化も示している。
【００２８】
また、図３に示すように、フック部１１２が被係止部材２００に成形された孔２１０に係合するような固定構造として、プリント基板のみらなす、蓋体の固定構造として利用しても良い。
【００２９】
【発明の効果】
以上詳述したように本発明の係止用フックによれば、被係止部材を取付ける際において、圧力角が増大していくことを防止し、もって、組立者の組立作業を簡易にすることができる。
【００３０】
また、被係止部材を取付ける際において、圧力角を略一定に保つことができ、もって、更なる組立者の組立作業を簡易にすることが可能となる。
【図面の簡単な説明】
【図１】本発明に係る係止用フックを示す斜視図。
【図２】本発明に係る係止用フックのフック部を示す図。
【図３】本発明に係る係止用フックの他の実施の形態を示す図。
【図４】従来の係止用フックを示す斜視図。
【図５】従来の係止用フックに被係止部材を取付け固定する過程を示す斜視図。
【図６】従来の係止用フックに被係止部材が固定されている状態を示す斜視図。
【図７】部材の撓みと撓み角の間系を示す図。
【図８】本発明に係る係止用フック及び従来の係止用フックの圧力角の変化を示す図。
【符号の説明】
１００・・・係止ブロック
１１０・・・係止用フック体
１１１・・・ストレート部
１１２・・・フック部
１１３・・・摺接面
１１４・・・係止部
１２０・・・受け部
２００・・・被係止部材
【図１】
0003684304.tif 000002
【図２】
0003684304.tif 000003
【図３】
0003684304.tif 000004
【図４】
0003684304.tif 000005
【図５】
0003684304.tif 000006
【図６】
0003684304.tif 000007
【図７】
0003684304.tif 000008
【図８】
0003684304.tif 000009